(57)【特許請求の範囲】
【請求項１】
圧縮機と、熱源側熱交換器と、電動弁と、利用側熱交換器とを有する冷媒回路を備え、
前記利用側熱交換器を凝縮器、前記熱源側熱交換器を蒸発器として作用させる加熱運転
と、
前記熱源側熱交換器の着霜を検知した場合に、前記電動弁の開度を加熱運転より大きく
し、加熱運転と同方向に冷媒を流動させて前記熱源側熱交換器に高温冷媒を供給する除霜
運転と、を行い、
前記除霜運転時の前記圧縮機の上限電流値または上限電力値を、前記加熱運転時の前記圧縮機の上限電流値または上限電力値より低くすることを特徴とするヒートポンプ式加熱装置。
【請求項２】
前記除霜運転時の前記圧縮機の電流値が上限電流値以上の場合、上限電流値未満になる
まで前記圧縮機の周波数を低下させることを特徴とする請求項１に記載のヒートポンプ式
加熱装置。
【請求項３】
前記圧縮機の周波数を所定値ずつ低下させることを、前記圧縮機の電流値が上限電流値
未満になるまで繰り返すことを特徴とする請求項２に記載のヒートポンプ式加熱装置。
【発明の詳細な説明】
【技術分野】
【０００１】
本発明は、給湯用熱交換器および暖房用熱交換器を備えるヒートポンプ式加熱装置に関
する。
【背景技術】
【０００２】
従来、例えば特許文献１には、通常運転時と逆方向に冷媒を流動させる逆サイクルでの
除霜運転中に、圧縮機の電流値を一定にする空気調和機が記載されている。この空気調和
機では、上限値付近の電流値で除霜運転を行う場合、圧縮機の周波数が大きくなって電装
品の温度が上昇し、耐熱温度を超過するという問題がある。一方、通常運転時と同じ方向
に冷媒を流動させる正サイクルで除霜運転を行う空気調和機も提案されている。
【先行技術文献】
【特許文献】
【０００３】
【特許文献１】特開２０１１―０５２８４９号公報
【発明の概要】
【発明が解決しようとする課題】
【０００４】
しかし、正サイクル除霜運転では逆サイクル除霜運転と比べて運転時間が長くなる。こ
のため、正サイクル除霜運転時に上限電流値で除霜運転を行うと、逆サイクル除霜運転を
採用した場合以上に電装品の温度が上昇するという問題がある。これを防止するため、上
限電流値を下げると、通常の過熱運転時に周波数が低下して加熱能力が低下する。
【０００５】
そこで、この発明は上記のような課題を解決するためになされたもので、正サイクルで
の除霜運転時に電装品の温度上昇を抑制し、かつ、加熱能力を確保できるヒートポンプ式
加熱装置を提供することを目的とする。
【課題を解決するための手段】
【０００６】
第１の発明に係るヒートポンプ式加熱装置は、圧縮機と、熱源側熱交換器と、電動弁と
、利用側熱交換器とを有する冷媒回路を備え、
前記利用側熱交換器を凝縮器、前記熱源側熱交換器を蒸発器として作用させる加熱運転
と、
前記熱源側熱交換器の着霜を検知した場合に、前記電動弁の開度を加熱運転より大きく
し、加熱運転と同方向に冷媒を流動させて前記熱源側熱交換器に高温冷媒を供給する除霜
運転と、を行い、
前記除霜運転時の前記圧縮機の上限電流値または上限電力値を、前記加熱運転時の前記圧縮機の上限電流値または上限電力値より低くする。
【０００７】
このヒートポンプ式加熱装置では、加熱運転時と同方向に冷媒を流動させる正サイクルで
除霜運転する際の圧縮機の上限電流値または上限電力値を、加熱運転時の上限電流値また
は上限電力値から変更する。具体的には、除霜運転時の圧縮機の上限電流値または上限電
力値を加熱運転時より下げることで、圧縮機の周波数を下げて電装品の温度上昇を抑制で
きる。また加熱運転時の上限電流値は高いまま維持されるので、加熱能力を確保できる。
【０００８】
第２の発明に係るヒートポンプ式加熱装置は、前記除霜運転時の前記圧縮機の電流値が
上限電流値以上の場合、上限電流値未満になるまで前記圧縮機の周波数を低下させる。
【０００９】
このヒートポンプ式加熱装置では、電流値が上限電流値以上の場合、上限電流値未満に
なるまで圧縮機の周波数を低下させる。これにより、電装品の温度上昇を抑制できる。
【００１０】
第３の発明に係るヒートポンプ式加熱装置は、前記圧縮機の周波数を所定値ずつ低下さ
せることを、前記圧縮機の電流値が上限電流値未満になるまで繰り返す。
【００１１】
このヒートポンプ式加熱装置では、上限電流値未満になるまで圧縮機の周波数を確実に
低下できる。
【発明の効果】
【００１２】
第１の発明では、加熱運転時と同方向に冷媒を流動させる正サイクルで除霜運転する際の
圧縮機の上限電流値または上限電力値を、加熱運転時の上限電流値または上限電力値から
変更する。具体的には、除霜運転時の圧縮機の上限電流値または上限電力値を加熱運転時
より下げることで、圧縮機の周波数を下げて電装品の温度上昇を抑制できる。また加熱運
転時の上限電流値は高いまま維持されるので、加熱能力を確保できる。
【００１３】
第２の発明では、電流値が上限電流値以上の場合、上限電流値未満になるまで圧縮機の
周波数を低下させる。これにより、電装品の温度上昇を抑制できる。
【００１４】
第３の発明では、上限電流値未満になるまで圧縮機の周波数を確実に低下できる。
【図面の簡単な説明】
【００１５】
【図１】本発明の第１実施形態の室外機を示す構成図である。
【図２】図１の室外機の正面図である。
【図３】図３（ａ）は、室外機を正面から見たときのヒートポンプ部および水ユニッ    トの内部構成を説明する部分破断図であり、図３（ｂ）は、室外機を上方から見たと    きの水ユニットの内部構成を説明する部分破断図であり、図３（ｃ）は、室外機を右    側面から見たときの給湯用水配管接続部および暖房用水配管接続部の配置を説明する    部分破断図である。
【図４】図４（ａ）および図４（ｂ）は、給湯用熱交換器および暖房用熱交換器の斜    視図および側面図である。
【図５】圧縮機を保護制御する制御部のブロック図。
【図６】圧縮機を保護制御するフローチャート。
【図７】（ａ）は、電流検知センサにより検知された電流値を示すグラフ、（ｂ）は    保護制御が実行されることにより垂下された圧縮機の周波数を示すグラフ。
【発明を実施するための形態】
【００１６】
以下、本発明の実施形態を添付図面に従って説明する。
【００１７】
ヒートポンプ式加熱装置（室外機）１は、図１および図２に示すように、ヒートポンプ
部２と、ヒートポンプ部２の上方に配置された水ユニット部３とを有している。ヒートポ
ンプ部２には、圧縮機１０と、室外熱交換器（熱源側熱交換器）１１と、電動弁１２と、
室外ファン１３とが収容されている。水ユニット部３には、給湯用熱交換器（利用側第１
熱交換器）１６Ａと、暖房用熱交換器（利用側第２熱交換器）１６Ｂと、給水ポンプ１７
とが収容されている。この室外機１の加熱運転では、給湯用温水および暖房用温水のいず
れか一方を加熱可能である。
【００１８】
室外機１の内部において、冷媒が循環する冷媒回路（ヒートポンプ）が構成されている
。この冷媒回路は、主流路２３と第１流路２４と第２流路２５と低圧流路２６とを有する
。
【００１９】
主流路２３には、圧縮機１０、室外熱交換器１１、および電動弁１２が順に設けられて
いる。室外熱交換器１１の一端側に配置された圧縮機１０の吐出側には、後述する四路切
換弁１８が配置されている。圧縮機１０の吸入側には、室外熱交換器１１の一端が接続さ
れ、室外熱交換器１１の他端には、電動弁１２の一端が接続されている。また圧縮機１０
には、圧縮機１０の入力電流を検知する電流検知センサ４０が配置されている。室外熱交
換器１１には、室外熱交換器１１の温度を検知する温度センサ４３が配置されている。
【００２０】
圧縮機１０は、後述する電装品５０の基板によってインバータ制御されている。電装品
５０は、交流電源から供給される交流電圧を直流電圧に変換するコンバータ（図示せず）
と、コンバータにより変換された直流電圧を交流電圧に変換して圧縮機１０を駆動するイ
ンバータ（図示せず）と、を有する電力変換回路を備える（例として、特開2004-116920
に記載の回路）。電流検知センサ４０はインバータへの入力電流値（ＤＣ電流値）を検出
し、これに基づいてコンバータの入力電流値（ＡＣ電流値）を算出する。圧縮機１０の電
流値としては、インバータのへの入力電流値（ＤＣ電流値）を用いてもよいし、この算出
されたＡＣ電流値を用いてもよい。あるいは、電流検知センサ４０がコンバータの入力電
流値（ＡＣ電流値）を直接検出できるように構成してその検出値を用いてもよいし、この
検出値に基づいて算出されるインバータの入力電流値（ＤＣ電流値）を用いてもよい。
【００２１】
第１流路２４と第２流路２５とは、圧縮機１０の吐出側に配置された四路切換弁１８に
おいて分岐し、室外熱交換器１１の他端側に配置された合流部１９において合流する。主
流路２３の合流部１９と電動弁１２との間には、冷媒回路と連通するサービスポート４１
が配設されている。サービスポート４１は、例えばメンテナンス時に外部から冷媒回路に
冷媒を注入したり、冷媒回路から外部に冷媒を排出するために使用される。
【００２２】
第１流路２４は加熱運転時、主流路２３の圧縮機１０の下流側に設けられた四路切換弁
１８と、電動弁１２の上流側に設けられた合流部１９とを接続する。また第１流路２４に
は、給湯用熱交換器１６Ａと、給湯用熱交換器１６Ａと合流部１９との間に配置された第
１逆止弁４４とが設けられている。第１逆止弁４４は、給湯用熱交換器１６Ａから合流部
１９への冷媒の流れを許容するが、合流部１９から給湯用熱交換器１６Ａ（第１流路２４
）への冷媒の流れを遮断する。
【００２３】
第２流路２５は、四路切換弁１８と合流部１９とを第１流路２４と並列に接続する。ま
た第２流路２５には、暖房用熱交換器１６Ｂと、レシーバ４６と、第２逆止弁４８とが設
けられている。第２逆止弁４８は、暖房用熱交換器１６Ｂから合流部１９への冷媒の流れ
を許容するが、合流部１９から暖房用熱交換器１６Ｂ（第２流路２５）への冷媒の流れを
遮断する。
【００２４】
レシーバ４６は冷媒を貯留する容器であり、第１流路２４および第２流路２５のうち、
冷媒容量の小さい第２流路２５の暖房用熱交換器１６Ｂと第２逆止弁４８との間に設けら
れている。
【００２５】
第２逆止弁４８は、暖房用熱交換器１６Ｂと合流部１９との間（暖房用熱交換器１６Ｂ
の下流側かつ合流部１９の上流側）に配置されている。
【００２６】
低圧流路２６は、四路切換弁１８と、圧縮機１０の吸入側とを接続している。圧縮機１
０の吸入側とは電動弁１２と圧縮機１０との間を指すが、低圧流路２６は特に、圧縮機１
０と室外熱交換器１１との間に接続されている。
【００２７】
給水ポンプ１７は、給湯タンク５から流出した給湯用温水を給湯用熱交換器１６Ａに供
給し、給湯タンク５に供給される給湯用温水を循環させる。
【００２８】
上述した冷媒回路では、圧縮機１０から吐出された冷媒が第１流路２４および第２流路
２５のいずれか一方の流路に流れて他方の流路には流れないように、四路切換弁１８によ
り後述する第１状態と第２状態とに切り換えられる。
【００２９】
第１状態では、圧縮機１０から吐出された冷媒が第１流路２４に流れて第２流路２５に
流れず、第２流路２５が主流路２３の低圧側に接続される。具体的には冷媒が流れる給湯
用熱交換器１６Ａに関し、第１流路２４の冷媒流入口には、四路切換弁１８を介して圧縮
機１０の吐出側が接続され、第１流路２４の冷媒流出口には、電動弁１２が接続されてい
る。冷媒が流れない第２流路２５に関しては、一端部が四路切換弁１８を介して低圧流路
２６に接続され、他方の端部が合流部１９に接続されている。
【００３０】
第１状態では図１中、実線で示すように、圧縮機１０から吐出された冷媒が、四路切換
弁１８を介して第１流路２４に流入する。そして、給湯用熱交換器１６Ａで水と熱交換を
した後、合流部１９を介して電動弁１２に到達する。一方、第２流路２５内の冷媒は四路
切換弁１８を介して低圧流路２６に流入し、圧縮機１０に吸入される。しかし第２流路２
５内の冷媒が圧縮機１０に吸入された後は、第２逆止弁４８があるため、第２逆止弁４８
より合流部側１９にある冷媒が圧縮機１０に吸入されることはない。
【００３１】
第２状態では、圧縮機１０から吐出された冷媒が第２流路２５に流れて第１流路２４に
流れず、第１流路２４が主流路２３の低圧側に接続される。具体的には冷媒が流れる暖房
用熱交換器１６Ｂに関し、第２流路２５の冷媒流入口には、四路切換弁１８を介して圧縮
機１０の吐出側が接続され、第２流路２５の冷媒流出口には、電動弁１２が接続されてい
る。冷媒が流れない第１流路２４に関しては、一端部が四路切換弁１８を介して低圧流路
２６に接続され、他方の端部が合流部１９に接続されている。
【００３２】
第２状態では図１中、点線で示すように、圧縮機１０から吐出された冷媒が、四路切換
弁１８を介して第２流路２５に流入する。そして、暖房用熱交換器１６Ｂで水と熱交換を
した後、合流部１９を介して電動弁１２に到達する。一方、第１流路２４内の冷媒は四路
切換弁１８を介して低圧流路２６に流入し、圧縮機１０に吸入される。しかし第１流路２
４内の冷媒が圧縮機１０に吸入された後は、第１逆止弁４４があるため、第１逆止弁４４
より合流部側１９にある冷媒が圧縮機１０に吸入されることはない。
【００３３】
水ユニット部３は、給湯用水配管接続部２０と、暖房用水配管接続部２１とを有してい
る。給湯用水配管接続部２０は、往き接続部２０ａと、戻り接続部２０ｂとを有しており
、暖房用水配管接続部２１は、往き接続部２１ａと、戻り接続部２１ｂとを有している。
【００３４】
水ユニット部３の内部において、給湯用水配管接続部２０の往き接続部２０ａは第１状
態で、給湯用熱交換器１６Ａの水流出口に接続され、給湯用水配管接続部２０の戻り接続
部２０ｂは、給湯用熱交換器１６Ａの水流入口に接続されている。
【００３５】
給湯用熱交換器１６Ａでは、第１状態において圧縮機１０の吐出側の四路切換弁１８か
ら流入した冷媒と、給湯用水配管接続部２０の戻り接続部２０ｂから流入した給湯用温水
との間で熱交換されることによって、給湯用温水が加熱されて、その加熱された給湯用温
水が、給湯用水配管接続部２０の往き接続部２０ａに向かって流出する。
【００３６】
水ユニット部３の内部において、暖房用水配管接続部２１の往き接続部２１ａは第２状
態で、暖房用熱交換器１６Ｂの水流出口に接続され、暖房用水配管接続部２１の戻り接続
部２１ｂは、暖房用熱交換器１６Ｂの水流入口に接続されている。
【００３７】
暖房用熱交換器１６Ｂでは、第２状態において圧縮機１０の吐出側の四路切換弁１８か
ら流入した冷媒と、暖房用水配管接続部２１の戻り接続部２１ｂから流入した暖房用温水
との間で熱交換されることによって、暖房用温水が加熱されて、その加熱された暖房用温
水が、暖房用水配管接続部２１の往き接続部２１ａに向かって流出する。
【００３８】
本実施形態の室外機１は、利用側装置４に接続されている。利用側装置４は、給湯タン
ク５と、ガスボイラ６と、床暖房パネル７と、ポンプ８とを有している。ガスボイラ６は
、加熱器６ａを有しており、床暖房パネル７と給湯端末９に接続されている。したがって
、ガスボイラ６は、給湯タンク５から供給された給湯用温水を給湯端末９に供給される前
に加熱したり、室外機１から供給された暖房用温水を床暖房パネル７に供給される前に加
熱できる。ポンプ８は、床暖房パネル７から流出した暖房用温水を暖房用熱交換器１６Ｂ
に供給し、床暖房パネル７に供給される暖房用温水を循環させるものである。
【００３９】
図３（ａ）は、室外機１を正面から見たときのヒートポンプ部２および水ユニット部３
の内部構成を説明する部分破断図であり、図３（ｂ）は、室外機１を上方から見たときの
水ユニット部３の内部構成を説明する部分破断図であり、図３（ｃ）は、室外機１を右側
面から見たときの給湯用水配管接続部２０および暖房用水配管接続部２１の配置を説明す
る部分破断図である。図３（ａ）に示すように、四路切換弁１８はヒートポンプ部２に配
置されている。またヒートポンプ部２には電装品５０が配置されている。電装品５０は、
圧縮機１０、電動弁１２、室外ファン１３および四路切換弁１８などを制御する制御基板
を有する。
【００４０】
図４（ａ）および図４（ｂ）は、給湯用熱交換器１６Ａおよび暖房用熱交換器１６Ｂの
斜視図および側面図である。室外機１の水ユニット部３の内部において、給湯用熱交換器
１６Ａおよび暖房用熱交換器１６Ｂは、図４（ａ）に示すように、上下方向に積層された
状態で配置されている。
【００４１】
暖房用熱交換器１６Ｂは、上下方向に２段に積層されるように巻回される暖房用水配管
３２を有しており、給湯用熱交換器１６Ａは、上下方向に２段に積層されるように巻回さ
れる給湯用水配管３１を有している。この給湯用水配管３１および暖房用水配管３２は、
平面視において、それぞれの段において略渦巻き状に巻回されている。
【００４２】
給湯用熱交換器１６Ａの水流入口には、給水ポンプ１７（給湯用水配管接続部２０の戻
り接続部２０ｂ）から延在する給湯用戻り連絡配管３１ａが接続され、給湯用熱交換器１
６Ａの水流出口には、給湯用水配管接続部２０の往き接続部２０ａから延在する給湯用往
き連絡配管３１ｂが接続されている。また、暖房用熱交換器１６Ｂの水流入口には、暖房
用水配管接続部２１の戻り接続部２１ｂから延在する暖房用戻り連絡配管３２ａが接続さ
れ、暖房用熱交換器１６Ｂの水流出口には、暖房用水配管接続部２１の往き接続部２１ａ
から延在する暖房用往き連絡配管３２ｂが接続されている。
【００４３】
給湯用熱交換器１６Ａにおいて、給湯用水配管３１の外周には、給湯用冷媒配管３３が
螺旋状に巻回され、暖房用熱交換器１６Ｂにおいて、暖房用水配管３２の外周には、暖房
用冷媒配管３４が螺旋状に巻回されている。給湯用熱交換器１６Ａの冷媒流入口には、圧
縮機１０の吐出側の分岐部１８から延在する給湯用連絡配管３３ａが接続され、給湯用熱
交換器１６Ａの冷媒流出口には、電動弁１２から延在する給湯用連絡配管３３ｂが接続さ
れている。また、暖房用熱交換器１６Ｂの冷媒流入口には、圧縮機１０の吐出側の分岐部
１８から延在する暖房用連絡配管３４ａが接続され、暖房用熱交換器１６Ｂの冷媒流出口
には、電動弁１２から延在する暖房用連絡配管３４ｂが接続されている。
【００４４】
本実施形態において、給湯用熱交換器１６Ａは、給湯用水配管３１の外周に給湯用冷媒
配管３３が螺旋状に巻回された部分とし、暖房用熱交換器１６Ｂは、暖房用水配管３２の
外周に暖房用冷媒配管３４が螺旋状に巻回された部分とする。
【００４５】
給湯用熱交換器１６Ａの給湯用水配管３１は、上下方向に２段に積層されるように巻回
されたものであって、給湯用戻り連絡配管３１ａから、下側に配置された段にある配管に
給湯用温水が流入するとともに、上側に配置された段にある配管から、給湯用往き連絡配
管３１ｂに給湯用温水が流出するように構成されている。暖房用熱交換器１６Ｂの暖房用
水配管３２は、上下方向に２段に積層されるように巻回されたものであって、暖房用戻り
連絡配管３２ａから、下側に配置された段にある配管に暖房用温水が流入するとともに、
上側に配置された段にある配管から、暖房用往き連絡配管３２ｂに暖房用温水が流出する
ように構成されている。
【００４６】
このように構成された給湯用熱交換器１６Ａの給湯用水配管３１と、暖房用熱交換器１
６Ｂの暖房用水配管３２とは、水ユニット３の内部において積層されている。詳しくは、
給湯用熱交換器１６Ａは、２段に積層されるように巻回され、最も上側に配置された段に
ある配管（外側配管）から給湯用温水が流出するように構成されており、暖房用熱交換器
１６Ｂは、給湯用熱交換器１６Ａの上方に積層されている（給湯用水配管３１において最
も上側に配置された段にある配管（外側配管）に近接するように、給湯用熱交換器１６Ａ
に積層されている。）
【００４７】
給湯用熱交換器１６Ａには、水連絡配管（給湯用戻り連絡配管３１ａおよび給湯用往き
連絡配管３１ｂ）と、冷媒連絡配管（給湯用連絡配管３３ａおよび給湯用連絡配管３３ｂ
）とが接続されており、暖房用熱交換器１６Ｂには、水連絡配管（暖房用戻り連絡配管３
２ａおよび暖房用往き連絡配管３２ｂ）と、冷媒連絡配管（暖房用連絡配管３４ａおよび
暖房用連絡配管３４ｂ）とが接続されている。
【００４８】
図５に示すように、制御部５６は、入力側が電流検知センサ４０と温度センサ４３とに
接続されている。制御部５６の出力側は、圧縮機１０と電動弁１２とに接続されている。
【００４９】
上記構成を備えたヒートポンプ式加熱装置１では、加熱運転と正サイクル除霜運転とが
行われる。加熱運転では、給湯用熱交換器１６Ａと暖房用熱交換器１６Ｂとを凝縮器、室
外熱交換器１１を蒸発器として作用させる。正サイクル除霜運転では、室外熱交換器１１
の着霜を検知した場合に、電動弁１２の開度を加熱運転より大きくし、加熱運転と同方向
に冷媒を流動させて室外熱交換器１１に高温冷媒を供給する。
【００５０】
正サイクル除霜運転時には、四路切替弁１８を第１状態または第２状態に維持したまま
圧縮機１０を運転する。正サイクル除霜運転では、加熱運転時と同方向に冷媒回路内を冷
媒が流れるため、圧縮機１０を停止させずに除霜を行うことが可能である。
【００５１】
正サイクル除霜運転では、圧縮機１０は、所定の周波数、好ましくは最大周波数で運転
される。このように、圧縮機１０ができるだけ大きな周波数で運転されることで、除霜の
ための熱量を確保することが容易になる。また、正サイクル除霜運転中には、室外ファン
１３の駆動は停止される。
【００５２】
電装品５０は室外ファン１３からの送風によって冷却されているが、除霜運転中は室外
ファン１３が停止するので冷却手段が失われる。このため、高い電流値で長時間の除霜運
転を行うと、電装品５０の温度が高温になってしまう。また正サイクル除霜運転は、例え
ばルームエアコンなどで一般的に行われている逆サイクル除霜運転（暖房、冷房モードを
逆転する）と比べて高い電流値で長時間の除霜運転が必要になる。
【００５３】
図６は、本発明の正サイクル除霜運転が実行されるフローチャートを示す。図７（ａ）
は、電流検知センサ４０により検知された圧縮機１０の電流値を示す。図７（ｂ）は、圧
縮機１０の周波数を示す。なお図７（ａ）中、Ａ１は加熱運転時の上限電流値を示し、Ａ
２は正サイクル除霜運転時の上限電流値を示す。
【００５４】
図６に示すように、ステップＳ１で制御部５６が加熱運転を開始する。ステップＳ２で
制御部５６が、温度センサ４３により検知された室外熱交換器１１の温度が第１閾値以下
であるか否かを判定する。第１閾値は例えば−５度であるが、これに限定されない。第１
閾値以下であれば、室外熱交換器１１に着霜したと判断してステップＳ３に進む。第１閾
値よりも大きければステップＳ２を繰り返す。
【００５５】
ステップＳ３では制御部５６が、圧縮機１０の上限電流値を下げる。具体的には、加熱
運転時に例えば１４．２５アンペアであった上限電流値を１２．５アンペアまで下げる。
これにより、除霜運転開始時など電流値が低い場合には、上限電流値を気にせず、任意の
周波数で除霜運転を実行できる。一方、除霜運転の終了前など電流値が高い場合には、後
述するように上限電流値未満になるまで圧縮機の周波数を下げ、電装品５０の温度上昇の
抑制を図ることができる。なお、上限電流値の具体的な数値は特に限定されず、上限電流
値はＤＣ電流値およびＡＣ電流値のいずれであってもよい。
【００５６】
ステップＳ４では制御部５６が、加熱運転から正サイクル除霜運転に切り換える。正サ
イクル除霜運転では、圧縮機１０を最大周波数で駆動し、電動弁１２の弁開度を大きくし
て室外ファン１３の駆動を停止する。
【００５７】
ステップＳ５では制御部５６が、電流検知センサ４０により検知された圧縮機１０の電
流値が上限電流値以上であるか否かを判定する。図７（ａ）の時間ｔ１に示すように、上
限電流値未満であればステップＳ６に進む。図７（ａ）の時間ｔ２に示すように、上限電
流値以上であれば電装品５０が高温になる恐れがあるため、ステップＳ７に進む。ステッ
プＳ７では、制御部５６が圧縮機１０の周波数を所定値だけ下げることで（図７（ｂ）の
時間ｔ２参照）、電流値も下がりステップＳ５に戻る。ここで、所定値とは例えば２Ｈｚ
であるが、これに限定されない。このように、上限電流値以上の場合、圧縮機１０の周波
数を所定値だけ低下させることを上限電流値未満になるまで繰り返す（図７（ａ）の時間
ｔ３参照）。
【００５８】
ステップＳ６では制御部５６が、室外熱交換器１１の温度が第２閾値以上であるか否か
を判定する。第２閾値は例えば７度であるが、これに限定されない。第２閾値以上であれ
ば、室外熱交換器１１に付着した霜が溶融したと判断して除霜運転を終了する。第２閾値
未満であればステップＳ５に戻って除霜運転を継続する。
【００５９】
[本実施形態のヒートポンプ式加熱装置の特徴]
本実施形態のヒートポンプ式加熱装置には以下の特徴がある。
【００６０】
本発明のヒートポンプ式加熱装置１では、加熱運転時と同方向に冷媒を流動させる正サ
イクルで除霜運転する際の圧縮機１０の上限電流値を、加熱運転時の上限電流値から変更
する。具体的には、除霜運転時の圧縮機１０の上限電流値を加熱運転時より下げることで
、圧縮機１０の周波数を下げて電装品５０の温度上昇を抑制できる。また加熱運転時の上
限電流値は高いまま維持されるので、加熱能力を確保できる。
【００６１】
本発明のヒートポンプ式加熱装置１では、電流値が上限電流値以上の場合、上限電流値
未満になるまで圧縮機１０の周波数を低下させる。これにより、電装品５０の温度上昇を
抑制きる。
【００６２】
本発明のヒートポンプ式加熱装置１では、上限電流値未満になるまで圧縮機１０の周波
数を確実に低下できる。
【００６３】
本発明のヒートポンプ式加熱装置１では、ＡＣ電流とＤＣ電流とを変換しており、いず
れか一方の上限電流値を変更すればいいので設計の自由度を高めることができる。
【００６４】
以上、本発明の実施形態について図面に基づいて説明したが、具体的な構成は、これら
の実施形態に限定されるものでないと考えられるべきである。本発明の範囲は、上記した
実施形態の説明だけではなく特許請求の範囲によって示され、さらに特許請求の範囲と均
等の意味および範囲内でのすべての変更が含まれる。
【００６５】
前記実施形態では、温度センサ４３で検知された室外熱交換器１１の温度に基づいて室
外熱交換器１１への着霜を検知した。しかし、着霜を検知するための方法は特に限定され
ない。
【００６６】
前記実施形態では、圧縮機１０の上限電流値を変更したが、上限電力値を変更しても同
様の効果を得ることができる。
【符号の説明】
【００６７】
１  ヒートポンプ式加熱装置
１０  圧縮機
１１  室外熱交換器（熱源側熱交換器）
１２  電動弁
１６Ａ  給湯用熱交換器（利用側第１熱交換器）
１６Ｂ  暖房用熱交換器（利用側第２熱交換器）
【図１】
0006330779.tif 000002
【図２】
0006330779.tif 000003
【図３】
0006330779.tif 000004
【図４】
0006330779.tif 000005
【図５】
0006330779.tif 000006
【図６】
0006330779.tif 000007
【図７】
0006330779.tif 000008